(57)【要約】【課題】  従来の衛生マスクで、マスクの主要部や一部を透明体としたものは、透明体に濾過機能が無いため、透明体を大きくすると濾過部をどのように構成すれば、呼気の出入りの方向や量に支障がでないか等の検討が面倒であった。  また公知技術のものは、前方に広く大きく突出したマスクであり、食事や茶を飲む際に取り外した時どのように保持・保管すれば良いか思案する構成である。【解決手段】  左右略対称平面状の左右透明板（１）（２）前端縁（３）部を、内面接当状に上下方向一体化すると共に面対向させ、左右透明板（１）（２）下端縁（４）（４）内方間に、着用者が吸入する空気を浄化するためのフィルター（５）を左右方向拡開または閉鎖自在に取付けることを特徴とした透明体付きマスクの構成とした。【選択図】  図６
2011030884.tif 000002
【特許請求の範囲】
【請求項１】
左右略対称平面状の左右透明板（１）（２）前端縁（３）部を、内面接当状に上下方向一体化すると共に面対向させ、左右透明板（１）（２）下端縁（４）（４）内方間に、着用者が吸入する空気を浄化するためのフィルター（５）を左右方向拡開または閉鎖自在に取付けることを特徴とした透明体付きマスク。
【請求項２】
空気を浄化するためのフィルター（５）は収納時に、左右透明板（１）（２）内方間に前後方向の折縁（６）を介して折り曲げられると共に、左右透明板（１）（２）の周縁から大きく外方に突出しないことを特徴とした請求項１記載の透明体付きマスク。
【発明の詳細な説明】
【技術分野】
【０００１】
この発明は、予防医療、防災、衛生等の分野において、呼吸器を通して病原菌、粉塵、花粉等が人間の肺へ吸引されることを防止すると共に、保菌者からの病原菌や唾液の空中への飛散を少なくして世の中の安全を向上するための衛生マスクである。
そして、特に使用時には装着者の口元や頬をマスクの外方から透かして見えるようにすると共に、非装着取外し時に濾過フィルターを折り曲げたり畳んだりしながら、フィルター部を覆うことで、清潔さを保ったり薄型として収納携帯しようとするマスクに関する。
【背景技術】
【０００２】
従来の衛生マスクは、装着すると顔の下半部が覆われ隠れるので、変装の小道具になったり、表情が見えなくて声もくぐもり、互いの意思疏通に支障が生じることがあった。
そこで、近年はマスクの主要部や一部を透明体として、装着者の表情を外部から伺える形態のものが出現した。
【先行技術文献】
【特許文献】
【０００３】
【特許文献１】特開２００９−１１４７５号公報
【特許文献２】実用新案登録第３１４８５０７号公報
【特許文献３】特表２００６−５２５８２３号公報
【発明の概要】
【発明が解決しようとする課題】
【０００４】
従来の衛生マスクで、マスクの主要部や一部を透明体としたものは、透明体に濾過機能が無いため、透明体部を大きくすればする程同一表面積であれば濾過部面積が減少し、該濾過部をどのように構成すれば、呼気の出入りの方向や量に支障がでないか等の検討が面倒であった。
本件の出願人が特許文献１として提示した公知技術は、マスクの上半部を透明体とし、下半部の全体または一部に不織布から成る通気性部材を取り付ける透明部付きマスクである。
【０００５】
この公知技術のものを詳細に眺めると、上半部に水平方向に平面状の透明体がアヒルのくちばし状に広く大きく前方へ突出しており、その下方に略対称形状に下半部を突出して設け、下半部の一部または全体を通気性部材としており、このように前方に広く大きく突出したマスクを、食事や茶を飲む際に取り外した時どのように保持・保管すれば良いか思案する構成である。
その都度、使用中のものを捨て、新しいマスクに変えるとコストアップだし、ポケットに入れる際にはフィルターを内側に向けて、透明体部まで四つ折り状に折りたたまないと、通気性部材であるフィルターに塵埃が付着しそうだし、二つ折りの取外し状で机の上に放置すると、大面積通気性部材のフィルター内外面に病原菌や粉塵や花粉等が付着しそうだし、非装着の取外し時に思案する構成と成っていた。
【０００６】
つぎに、特許文献２として提示した公知技術は、半球状や二枚貝の一方の貝殻状の様に立体形成したマスク本体で、その上部縦幅の１／３から１／２の幅に樹脂やゴム溶液を含浸させ透明部とした立体マスク構成である。
この構成も特許文献１と同様に、全体が大きく一体化して半球状に前方突出しており、大き過ぎてポケットに入らない状態で取外したマスクを、どのように保持・保管・非装着の取外しをするか悩むものである。
【０００７】
また、本件出願人が特許文献３として提示した公知技術には、前述構成と同様の不具合を有するので説明しない「第１形態乃至第３形態」のものと、以下に違いを詳述し、差異を明確化する「第４形態」の構成が開示されている。
図８・図９・図１０・図１１で開示された「第４形態」のものは、横長平面状の透明体後面に、使用時には後方に引っ張り出され非使用時には折りたたまれる、極微細繊維糸から成るフィルターを取付け、収納時に薄形で平面状とする透明マスクの構成としている。  
【０００８】
しかし、この構成でもポケット収納時には、極微細繊維糸から成るフィルター
は、一面側が透明体の後面で覆われるだけで、フィルター他面側の気密部材から外れたフィルター部分は、この外れた部分が他物に接当するので、非使用取外し時、そのままポケットに収納するのに衛生上躊躇する使用者もいる。
【課題を解決するための手段】
【０００９】
この発明は、上記課題を解決するために、次の如き技術手段を講じている。まず、請求項１に記載した発明は、左右略対称平面状の左右透明板（１）（２）前端縁（３）部を、内面接当状に上下方向一体化すると共に面対向させ、左右透明板（１）（２）下端縁（４）（４）内方間に、着用者が吸入する空気を浄化するためのフィルター（５）を左右方向拡開または閉鎖自在に取付けることを特徴とした透明体付きマスクの構成とした。
【００１０】
これにより、使用時には上下方向垂直な向きで前端縁（３）を中心として対向した左右透明板（１）（２）後端側を手指で外側方に広げると、空気を浄化するためのフィルター（５）も同時に拡がる。また、非使用時には外した透明体付きマスクの左右透明板（１）（２）を略対向平板状に閉じると、空気を浄化するためのフィルター（５）も平面状の左右透明板（１）（２）間に幅狭く折りたたまれ、透明体付きマスクをそのままポケット内に簡単に収納可能となる。
【００１１】
つぎに、請求項２に記載した発明は、空気を浄化するためのフィルター（５）は収納時に、左右透明板（１）（２）内方間に前後方向の折縁（６）を介して折り曲げられると共に、左右透明板（１）（２）の周縁から大きく外方に突出しないことを特徴とした請求項１記載の透明体付きマスクの構成とした。
【００１２】
この構成により、空気を浄化するためのフィルター（５）は、収納時に左右透明板（１）（２）内面間から突出しないので、取り外したマスクを保持する場合平面対向状に閉鎖した左右透明板（１）（２）を両外面から摘まみ、保管時にはそのままポケット内に収納すれば良く、空気を浄化するためのフィルター（５）面は左右透明板（１）（２）で外方を覆われており、塵埃の付着防止が容易となり、再度の利用が抵抗感少なく行なえるものである。
【発明の効果】
【００１３】
まず、請求項１の発明は、左右二枚で一対の平面状の左右透明板（１）（２）を、前端縁（３）部を中心に手指で左右に広げると、その下端縁（４）（４）内方間に一体的に取付けた空気を浄化するためのフィルター（５）も左右に同様に拡げられ三角錐状の大きな懐を有したマスクとして使え、左右透明板（１）（２）を、前端縁（３）部を中心に手指で閉鎖すると、空気を浄化するためのフィルター（５）の大部分が平面状の左右透明板（１）（２）間に幅狭く折りたたまれ薄く成るから、透明体付きマスクをそのままポケット内に簡単に収納可能となる。
【００１４】
請求項２の発明は、空気を浄化するためのフィルター（５）は、閉鎖収納時に左右透明板（１）（２）内面間から突出しないので、取り外したマスクを保持する場合平面状の左右透明板（１）（２）を外面から摘まみ、保管収納時にはそのままポケット内に収納すれば良く、空気を浄化するためのフィルター（５）面は左右透明板（１）（２）で覆われており、再度の利用が抵抗感なく容易に行なえるものである。
さらに、前後方向の折縁（６）の数を増やしてやると、使用時フィルター（５）の表面積が増え通過抵抗が減る。そして、排出空気は左右透明板（１）（２）内面間に沿って下方に容易に案内排出される。
【図面の簡単な説明】
【００１５】
【図１】第一図例、フィルターを閉じた状態の全体側面図
【図２】図１の、フィルターを拡げた状態の全体側面図
【図３】図２の、全体背面図
【図４】図１の、全体正面図
【図５】図２の、全体平面図
【図６】図３の、斜視図
【図７】第二図例、フィルターを閉じた状態の全体側面図
【図８】図７の、背面図
【図９】図７の、フィルターを拡げた状態の全体平面図
【図１０】マスク装着状態を示す、側面図
【図１１】マスク装着状態を示す、斜視図
【発明を実施するための形態】
【００１６】
以下、この発明の実施例を、図面に基づいて具体的に説明する。図１乃至図６で示すものは、この発明の第一実施例である。
左右略対称平面状でＰＥＴ（ポリエチレンテレフタレート）の如き硬質の透明平板から成る左右透明板（１）（２）夫々の前端縁（３）部は、側面視、上下方向直線状（曲線状でも可。）で前方突出し、その対向内面側を両者所定幅で接当面対向状に上下方向一体化している。
【００１７】
図例では、左右透明板（１）（２）夫々の前端縁（３）に対向上下方向位置に小孔（１１）（１１）・・・を複数個開口し、両者の小孔（１１）（１１）と夫々の前端縁（３）（３）内外周面にエラストマーを融着した弾性層（１２）で覆い、該融着エラストマーで、左右透明板（１）（２）の前端縁（３）を中心に後方部を拡開または閉鎖自在に弾發保持している。エラストマーは、透明白色（無色）だけでなく赤色・青色・黄色等の透明から不透明まで、混合顔料によりどのような色にでもできる。
【００１８】
前端縁（３）が図例の直線状態から、図示しないが、曲線として次第に曲率半径を小さくして前方突出していくと、装着者の鼻廻り下部の空間は幅方向が広くゆったりと成っていくが、閉鎖状態から左右透明板（１）（２）後部を拡げる時エラストマーに作用する拡げ負荷も大きくなる。要は、エラストマーの耐久範囲内で曲率半径を小さくしても良い。
【００１９】
側面視で左右透明板（１）（２）の下端縁（４）（４）は、水平状態よりも後方が下がっている。この下端縁（４）（４）間には着用者が吸入する空気を浄化するためのフィルター（５）が狭持されている。
三者の関係は、図３・図５で示すように、奥に向かって三角錐状の懐空間を有し、平面視は後方広がりの扇型としている。
そして、左透明板（１）前端縁（３）の上端部（８）から、左透明板（１）下端縁（４）の後端部（９）にかけて円弧状の曲縁部（１０）で結ばれている。右透明板（２）も同様の対称形状となっている。
【００２０】
図１１、図１２で図示しているが、この曲縁部（１０）の周端内外面にエラストマーを融着した弾性層（１２）で覆っておくと、左右透明板（１）（２）部をマスクの一部として使用する際に、曲縁部（１０）と使用者の頬間に隙間が生じ難くなる。この曲縁部（１０）には一部の構成しか図示しないが、使用者の耳や頭部にマスクを取付けるための紐やバンドの一端、または粘着テープ等の装着手段を設けておく。
【００２１】
左右透明板（１）（２）の下端縁（４）（４）内方間には、図３で示すように、使用者が吸入する空気を浄化するための、フィルター（５）の左右の側端取付面（７）（７）を、接着または溶着等により一体化している。
図例では、フィルター（５）の浄化面は、側端取付面（７）の上部間で左右方向に延出しているので、フィルター（５）面を拡げた状態で机の上に放置しても、フィルター（５）面は上方に離れて間隙空間を有しており、机の上に飛散している恐れのある病原菌や粉塵や花粉等にフィルター（５）が直接触れないので清潔である。
【００２２】
フィルター（５）は、積層不織布であって図５平面図で示すように、左右透明板（１）（２）の前端縁（３）側を中心に左右方向拡開または閉鎖自在に取付けた円弧状端縁としており、左右透明板（１）（２）閉鎖時には折縁（６）を幅方向中心に、図１で示すように上方に折り曲げて収納している。収納状態では幅（厚み）方向薄型となり、ポケットや本等に簡単にしまうことができる。
【００２３】
左右透明板（１）（２）を、左右方向に拡開した状態を、図６斜視図で示す。フィルター（５）の折縁（６）下降により、透明平板の左右透明板（１）（２）下端側は開状態を保持し、曲縁部（１０）の上端側は狭くなろうとする。
使用者は左右透明板（１）（２）上方を拡げ、図１０、図１１で示すように鼻梁に沿って、左右透明板（１）（２）の前端縁（３）内側を被せ、左右透明板（１）（２）の曲縁部（１０）を頬に被せ、装着手段を介してマスクを顔に取付ける。
【００２４】
この時、エラストマーは、透明白色（無色）だけでなく赤色・青色・黄色等の透明から不透明まで、混合顔料によりどのような色にでもできるから、使用者を職制や職種等でグループ分けする場合、複数マスクに亘る同色のエラストマーを融着した弾性層（１２）群としておけば、どのグループに属す使用者なのか、責任者なのか等が遠くから識別可能となり、近づけば左右透明板（１）（２）を介してマスク装着者の表情も伺え、他者に安心感を与える。また、透明エラストマーにすると、更に使用者の表情が明確に見える。
【００２５】
図１０で示すように、マスク使用者の口元が左右透明板（１）（２）を経て見えるので、髪カバーを被っていても他者から目と口廻りが見え安心して接客できる。  
また、左右透明板（１）（２）内面に沿って、呼気も下方にしか排出しないので他者も安心して近づける。
図例の説明で、図面で示したように直線状とか曲線状とか、他に素材名等について特定して説明しているが、同様の作用効果が生じれば良く、別に限定しているものではない。
【００２６】
つぎに、第二実施例について説明する。第一実施例と、異なる点を主体に説明する。図７側面視で、左右透明板（１）（２）の下端縁（４）は、前端縁（３）に対し略水平に延出している。この角度を鈍角にしたり鋭角にするに従い、鼻下と口廻りの空間広さは微妙に変化するが、該角度は、フィルター面積による呼気の吸排抵抗や、案内面による排気方向等を勘案して決められるもので、水平方向に限定するものではない。
【００２７】
さらに、積層不織布であるフィルターを、図8、図９では基部から開放端まで扇子の如く一定幅で蛇腹状に折り曲げた多面積浄化膜（１３）としている。これを基部側の幅は狭く、開放端側の幅は広くして傾斜状の幅にすると、前端縁（3）側のフィルター絶対量が減り幅方向厚みを薄くできる。
また、多面積浄化膜（１３）に、インフルエンザウイルスを殺す薬剤を練り込んでおけば、感染拡大を抑える一助となる。
【００２８】
多面積浄化膜（１３）は、薄くても重合枚数が多いため幅方向の厚みが増えるが、左右透明板（１）（２）夫々の前端縁（３）に上下対向位置に小孔（１１）（１１）・・・を複数個開口し、両者の小孔（１１）（１１）と間隙部（１４）と夫々の前端縁（３）（３）内外周面の一方または両方にエラストマーを融着した弾性層（１２）で覆うので、外気の吸込みはない。
【００２９】
また、折りたたみ状態では、左右透明板（１）（２）の下端縁（４）近傍のみ厚みが増すが、ポケット挿入時には厚み部を鉛筆を入れるように、ポケットの一側に位置させれば安定して挿入し保管することができる。
【符号の説明】
【００３０】
１    左透明板                  ２    右透明板
３    前端縁                    ４    下端縁
５    フィルター                ６    折縁
７    側端面                    ８    上端部
９    後端部                  １０    曲縁部
１１    小孔                    １２    弾性層
１３    多面積浄化膜            １４    間隙部
【図１】
2011030884.tif 000003
【図２】
2011030884.tif 000004
【図３】
2011030884.tif 000005
【図４】
2011030884.tif 000006
【図５】
2011030884.tif 000007
【図６】
2011030884.tif 000008
【図７】
2011030884.tif 000009
【図８】
2011030884.tif 000010
【図９】
2011030884.tif 000011
【図１０】
2011030884.tif 000012
【図１１】
2011030884.tif 000013